(57)【要約】【課題】  店舗に関する情報のうちユーザが希望する情報のみを提供し、効果的かつ即時的な販売促進活動を実現する販売促進システムを提供する。【解決手段】  販売促進システムは、店舗の情報を蓄積及び提供する店舗情報提供サーバ１０と、その店舗情報提供サーバ１０に対して電子チラシ等の店舗情報をアップロードする店舗端末２０と、その店舗情報提供サーバ１０から店舗情報の提供を受けるユーザ端末３０とを有し、これら各サーバ及び端末１０，２０，３０が互いにネットワークを介して接続されて構成される。【選択図】        図１
2008217418.tif 000002
【特許請求の範囲】
【請求項１】
ユーザにより操作されるユーザ端末と、店舗情報を蓄積し前記ユーザ端末へ前記店舗情報を送信する販売促進サーバとを有するシステムであって、
前記販売促進サーバは、前記ユーザ端末からの要求に応じて、前記店舗情報の送信内容をカスタマイズすることを特徴とする販売促進システム。
【請求項２】
前記店舗情報提供サーバは、地図画像上に店舗の位置が表示された地図情報を、前記店舗情報として前記ユーザ端末へ送信し、
前記ユーザ端末からの要求に応じて、前記店舗の位置の表示を任意の文字、記号又は画像にカスタマイズすることを特徴とする請求項１記載の販売促進システム。
【請求項３】
前記ユーザ端末は、任意の住所を示す情報を前記店舗情報提供サーバへ送信して登録し、
前記店舗情報提供サーバは、前記登録された住所周辺の前記地図情報を前記ユーザ端末へ送信することを特徴とする請求項２記載の販売促進システム。
【請求項４】
前記ユーザ端末は、自端末の現在位置を示す情報を前記店舗情報提供サーバへ送信し、
前記店舗情報提供サーバは、前記ユーザ端末の現在位置を示す情報を受信すると、該現在位置周辺の前記地図情報を前記ユーザ端末へ送信することを特徴とする請求項２記載の販売促進システム。
【請求項５】
前記店舗情報提供サーバは、前記店舗情報として店舗の広告情報を蓄積し、前記ユーザ端末からの要求に応じて前記広告情報を前記ユーザ端末へ送信するとともに、
新たな前記広告情報が蓄積されると、前記ユーザ端末から要求されているもののみ前記新たに蓄積された旨の通知情報を前記ユーザ端末へ送信することを特徴とする請求項１記載の販売促進システム。
【請求項６】
前記店舗情報提供サーバは、前記ユーザ端末から送信が要求されている店舗の販売促進用の電子メールのみを前記ユーザ端末へ送信することを特徴とする請求項１記載の販売促進システム。
【請求項７】
前記販売促進システムは、店舗側が操作し前記店舗情報を前記店舗情報提供サーバに登録するための店舗端末をさらに有し、
前記店舗端末は、店舗の紙チラシの画像読み取りを行い、前記広告情報として電子チラシを生成して店舗情報提供サーバへ送信し、
前記店舗情報提供サーバは、前記店舗端末から受信した電子チラシを蓄積し、前記ユーザ端末からの要求に応じて前記電子チラシを前記ユーザ端末へ送信することを特徴とする請求項１から６のいずれか１項に記載の販売促進システム。
【請求項８】
前記販売促進システムは、店舗の広告を前記ユーザに提供する事業者により操作される広告提供事業者端末をさらに有し、
前記広告提供事業者端末は、店舗の紙チラシの画像読み取りを行い、前記広告情報として電子チラシを生成して店舗情報提供サーバへ送信し、
前記店舗情報提供サーバは、前記広告提供事業者端末から受信した電子チラシを蓄積し、前記ユーザ端末からの要求に応じて前記電子チラシを前記ユーザ端末へ送信することを特徴とする請求項１から７のいずれか１項に記載の販売促進システム。
【発明の詳細な説明】
【技術分野】
【０００１】
本発明は、販売促進システムに関し、特に、ネットワークを利用して商品又はサービスに関する広告情報を消費者側に効果的に提供する販売促進システムに関する。
【背景技術】
【０００２】
一般に、企業や店舗等は、広告を利用して商品又はサービスの販売促進活動を行う。特に、新聞の折り込みチラシや新聞・雑誌広告は、多数の消費者に対して自社の製品やサービスを効率よくＰＲすることができるため、販売促進の手法として非常に効果的である。
【０００３】
しかしながら、店舗等の広告主（以下、店舗という）が、折り込みチラシへの広告掲載を予定している場合には、広告掲載日の遅くとも１週間前までには新聞社に広告掲載を依頼しておかなければならないという問題がある。これは、店舗がその折り込みチラシへの広告掲載を新聞社等に依頼してから、実際にその購読者の手に届くまでには、印刷工場への印刷発注、印刷作業、新聞への折り込み作業といった煩雑な作業が必要であることがその理由である。
このような時間的制約は、店舗にとって多大な負担となっている。例えば、一般に生鮮食品は、その仕入れ状況や仕入れ値が日々大きく変動するものであるから、その生鮮食品の広告掲載を希望する店舗が、広告を依頼する１週間前の段階で、売値を決定することは非常に困難である。
また、このような従来の紙媒体による広告掲載の手法では、店舗が望む広告効果を得るために大量の折り込みチラシを印刷しなければならず、労働力確保の面でもコストの面でも広告主を圧迫している。
【０００４】
一方で、近年のインターネットの普及により、従来の折り込みチラシ情報を電子チラシとしてインターネット上で広告を掲載することが可能となっている。この電子チラシは、従来の紙媒体の広告には必須であった印刷工程を必要としないため、前述の紙媒体による広告掲載の際に生じる時間的・コスト的な問題を解消することが可能となっている。
このような電子チラシの掲載に関する従来技術の１つとして、特許文献１が開示するところの商店街と利用者とのコミュニケーション支援システムが提案されている。この特許文献１のシステムは、主として商店街の情報を蓄積するサーバと、このサーバから商店街の店舗の情報を取得する携帯電話等のサブシステムとがネットワークを介して接続されて構成される。当該サーバは、ＧＰＳ等の機能を利用してサブシステムの現在位置を把握し、その把握した位置周辺の店舗のチラシ情報やセール情報をその周辺の地図情報とともに、そのサブシステムへ提供することができるようになっている。
【特許文献１】特開２００２−６３２７０
【発明の開示】
【発明が解決しようとする課題】
【０００５】
しかしながら、前述の特許文献１のシステムでは、そのサブシステムを利用するユーザは、サーバから店舗のチラシ情報の提供を一方的に受けるだけであり、特に必要としない情報も次々と送られてくることから、ユーザ自身が本当に欲しい店舗情報が埋没してしまうという問題点がある。
これに従って、ユーザ側が店舗のチラシ情報等を閲覧するという意欲も減退することから、店舗側にとっても、効果的な販売促進活動を行うことができないという問題が生じてしまう。
また、特許文献１のシステムが提供する電子チラシは、従来の紙によるチラシと比べると、広告の発案からユーザへの提供までに要する時間は確かに短縮されてはいるものの、店舗が発案した直後にその広告を届けるといった広告のリアルタイム性を獲得するまでには至っていないという問題点もある。
【０００６】
本発明は、上記問題点に鑑みてなされたものであり、店舗に関する情報のうちユーザが希望する情報のみを提供し、効果的かつ即時的な販売促進活動を実現する販売促進システムを提供することを目的とする。
【課題を解決するための手段】
【０００７】
かかる目的を達成するため、本発明は、ユーザにより操作されるユーザ端末と、店舗情報を蓄積しユーザ端末へ店舗情報を送信する販売促進サーバとを有する販売促進システムであって、その販売促進サーバは、ユーザ端末からの要求に応じて、店舗情報の送信内容をカスタマイズすることを特徴とする。
【０００８】
また、本発明によれば、その店舗情報提供サーバは、地図画像上に店舗の位置が表示された地図情報を、店舗情報としてユーザ端末へ送信し、ユーザ端末からの要求に応じて、店舗の位置の表示を任意の文字、記号又は画像にカスタマイズすることを特徴とする。
【０００９】
また、本発明によれば、そのユーザ端末は、任意の住所を示す情報を店舗情報提供サーバへ送信して登録し、店舗情報提供サーバは、登録された住所周辺の地図情報をユーザ端末へ送信することを特徴とする。
【００１０】
また、本発明によれば、そのユーザ端末は、自端末の現在位置を示す情報を店舗情報提供サーバへ送信し、店舗情報提供サーバは、ユーザ端末の現在位置を示す情報を受信すると、現在位置周辺の地図情報をユーザ端末へ送信することを特徴とする。
【００１１】
また、本発明によれば、その店舗情報提供サーバは、店舗情報として店舗の広告情報を蓄積し、ユーザ端末からの要求に応じて広告情報をユーザ端末へ送信するとともに、新たな広告情報が蓄積されると、ユーザ端末から要求されているもののみ新たに蓄積された旨の通知情報をユーザ端末へ送信することを特徴とする。
【００１２】
また、本発明によれば、その店舗情報提供サーバは、ユーザ端末から送信が要求されている店舗の販売促進用の電子メールのみをユーザ端末へ送信することを特徴とする。
【００１３】
また、本発明によれば、その販売促進システムは、店舗側が操作し店舗情報を店舗情報提供サーバに登録するための店舗端末をさらに有し、店舗端末は、店舗の紙チラシの画像読み取りを行い、広告情報として電子チラシを生成して店舗情報提供サーバへ送信し、店舗情報提供サーバは、店舗端末から受信した電子チラシを蓄積し、ユーザ端末からの要求に応じて電子チラシをユーザ端末へ送信することを特徴とする。
【００１４】
また、本発明によれば、その販売促進システムは、店舗の広告をユーザに提供する事業者により操作される広告提供事業者端末をさらに有し、広告提供事業者端末は、店舗の紙チラシの画像読み取りを行い、広告情報として電子チラシを生成して店舗情報提供サーバへ送信し、店舗情報提供サーバは、広告提供事業者端末から受信した電子チラシを蓄積し、ユーザ端末からの要求に応じて電子チラシをユーザ端末へ送信することを特徴とする。
【００１５】
なお、以上の構成要素の任意の組合せや、本発明の構成要素や表現を方法、装置、システム、コンピュータプログラム、コンピュータプログラムを格納した記録媒体などの間で相互に置換したものもまた、本発明の態様として有効である。
【発明の効果】
【００１６】
本発明によれば、ユーザは、ユーザ端末を用いて、地図画面上の店舗の表示の変更やメールの受信の有無の選択を店舗情報提供サーバへ要求し設定することで、ユーザ自分が希望する店舗情報のみを取得できるように容易にカスタマイズすることが可能となる。
【発明を実施するための最良の形態】
【００１７】
＜第１の実施形態＞
（第１の実施形態の概要）
本発明の第１の実施形態における販売促進システムは、ユーザの周辺地域の店舗に関する情報をユーザに提供するシステムであって、ユーザがその提供を受ける情報の内容を容易に設定可能とすることを主な特徴とするものである。
以下、この本実施形態における販売促進システムの構成、動作及び画面情報等について説明を進める。
【００１８】
（第１の実施形態の構成）
（１）全体構成
図１は、本発明の第１の実施の形態における販売促進システムの構成を示す図である。以下、図を用いて、販売促進システムの構成について説明を進める。
販売促進システムは、店舗の情報を蓄積及び提供する店舗情報提供サーバ１０と、その店舗情報提供サーバ１０に対して電子チラシ等の店舗情報をアップロードする店舗端末２０と、その店舗情報提供サーバ１０から店舗情報の提供を受けるユーザ端末３０とを有し、これら各サーバ及び端末１０，２０，３０が互いにネットワークを介して接続されて構成される。
【００１９】
店舗情報提供サーバ１０は、販売促進システム全体の管理及び販売促進システムによるサービスの運営を行う、広告提供事業者により管理されるサーバ装置である。
この広告提供事業者とは、店舗側等の広告主からの依頼を受けてユーザ側へ広告を提供する事業者であって、例えば、新聞社、出版社又は放送局等が該当する。
この店舗情報提供サーバ１０には、店舗に関するあらゆる情報、すなわち店舗情報が蓄積されている。この店舗情報は、店舗の属性等を示す店舗基本情報と、電子チラシ情報等の広告情報とが含まれる。このうち、店舗基本情報には、店舗の識別ＩＤ、店舗名、住所、メールアドレス、電話番号又は業種等がある。また、広告情報としては、前述した電子チラシの他、新着電子チラシの通知、セール情報又は電子クーポン等が掲載された電子メール（の本文）等がある。
店舗情報提供サーバ１０は、ネットワークを介してユーザ端末３０からこれら店舗情報の取得要求を受信すると、該当する店舗情報をそのユーザ端末３０へ送信する。
【００２０】
店舗端末２０は、広告主である店舗側や企業側により操作される情報処理装置であって、例えば、ＰＣや携帯端末（携帯電話機、ＰＤＡ等）等である。
店舗側は、この店舗端末２０を用いて、前述の店舗基本情報（店舗名等）や広告情報（電子チラシ等）に関する画像等を店舗情報提供サーバ１０に登録又は更新要求する。
【００２１】
ユーザ端末３０は、店舗の商品を購入したり、サービスを享受したりするユーザにより操作される情報処理装置であって、例えば、ＰＣや携帯端末（携帯電話機、ＰＤＡ等）等である。
ユーザは、ユーザ端末３０を用いて、店舗情報の取得を店舗情報提供サーバ１０へ要求し、自端末に備えられているディスプレイ等の表示部にその取得した店舗情報を表示する。
さらに、ユーザは、ユーザ端末３０を用いて、店舗情報提供サーバ１０から取得する店舗情報の内容を設定することができ、例えば、自身が希望する店舗の販売促進メールのみを取得することが可能である。
【００２２】
（２）店舗情報提供サーバ１０の構成
次に、販売促進システムを構成する構成要素のうち、店舗情報提供サーバ１０の構成について詳細に説明する。
図２は、本発明の第１の実施形態における店舗情報提供サーバ１０の構成を示す図である。
図に示すように、店舗情報提供サーバ１０は、店舗情報提供サーバ１０全体を制御する制御部１１と、ネットワークを介して情報の送受信を行う通信部１２と、前述の店舗基本情報を管理する店舗基本情報データベース（ＤＢ）１３と、ユーザ情報（ユーザ名、住所等）を管理するユーザ情報データベース（ＤＢ）１４と、電子チラシや販売促進メールの情報等を蓄積する広告情報蓄積部１５と、住所情報やその住所に対応する地図画像等を蓄積する地図情報蓄積部１６と、各ユーザへどの店舗情報を提供するか等の設定内容を管理する設定情報データベース（ＤＢ）１７とを有して構成される。
【００２３】
制御部１１は、ＣＰＵ等で構成され、店舗情報提供サーバ１０の全体を制御するとともに、各データベースや蓄積部１３〜１７から各種情報を抽出し、ユーザ端末３０に提供する画面情報（Ｗｅｂデータ）を生成する。
【００２４】
通信部１２は、店舗端末２０又はユーザ端末３０との間で各種情報の送受信を行うとともに、ユーザ端末３０にＷｅｂデータを配信し、店舗情報提供サーバ１０がＷｅｂサーバとして機能することができるようになっている。
【００２５】
店舗基本情報データベース１３では、前述の店舗基本情報（店舗名、住所等）を、各店舗ごとに発行される店舗ＩＤに対応付けて管理するものである。
【００２６】
ユーザ情報データベース１４では、前述のユーザ情報（ユーザの氏名、住所等）を、各ユーザごとに発行されるユーザＩＤに対応付けて管理するものである。
【００２７】
広告情報蓄積部１５は、店舗側が提供する電子チラシの画像ファイルや、新着電子チラシの通知やセール情報が掲載された電子メール本文のテキストデータ等を蓄積する部位である。
【００２８】
地図情報蓄積部１６は、住所情報（住所、緯度経度等を含む）と、この住所等に対応する地図画像とを蓄積する部位である。
【００２９】
設定情報データベース１７は、ユーザがどの店舗情報の取得を希望し、どの店舗情報の取得を希望していないかを設定するデータベースである。店舗情報提供サーバ１０は、この設定情報データベース１７の内容を参照して、ユーザ端末３０へどの店舗情報を送信するかを確認する。
【００３０】
（第１の実施形態の動作）
次に、本実施形態における販売促進システムの動作について説明する。
本実施形態における販売促進システムは、ユーザが店舗情報を取得して閲覧し、さらには、その閲覧する店舗情報を容易にカスタマイズできるものであるが、これら店舗情報の取得及び設定を行う前に、事前に、店舗側、ユーザ側双方が店舗情報提供サーバ１０に自身の情報の登録をそれぞれ行う。
以下、（１）店舗側による店舗情報の登録、（２）ユーザ側によるユーザ情報の登録、（３）店舗情報の提供、（４）ユーザが取得する店舗情報の設定の順に、本実施形態における販売促進システムによる各動作について詳細に説明する。
【００３１】
（１）店舗側による店舗情報の登録動作
店舗側は、本実施形態における販売促進システムを利用して、自身の商品やサービスの広告をユーザ側に提供する際、自身の店舗情報を予め店舗基本情報データベース１３に登録する。
図３は、本発明の第１の実施形態における販売促進システムによる店舗情報の登録動作の流れを示すシーケンスチャートである。以下、この図に沿って、店舗情報の登録動作について説明を進める。
【００３２】
まず、店舗側は、店舗端末２０を用いて、キー入力又は画像読み取り等を行い、広告情報を生成する（ステップＳ１０１）。
例えば、店舗側は、店舗端末２０のスキャナ機能を用いて紙チラシの画像を読み取り、電子チラシ用の画像ファイルを広告情報として店舗端末２０内に生成する。
【００３３】
次に、店舗側は、店舗端末２０を用いて、店舗情報提供サーバ１０とネットワーク接続し、店舗側が運営する登録用サイトにアクセスし、表示部上に表示する（ステップＳ１０２）。
【００３４】
ここで、店舗側は、店舗端末２０を用いて、登録用サイトにおける入力フォームに従って、店舗基本情報、すなわち店舗名、店舗の住所、電話番号、メールアドレス、業種、営業時間、駐車場の有無、店舗のＰＲ文、広告情報の掲載期間、広告の有効期間等を入力する（ステップＳ１０３）。
店舗端末２０は、この入力された店舗基本情報を店舗情報提供サーバ１０へ送信する（ステップＳ１０４）。
また、このとき、店舗側は、その入力フォームに従って、前述の作成した電子チラシ用の画像ファイルを広告情報として店舗情報提供サーバ１０に送信する（ステップＳ１０４）。
【００３５】
店舗情報提供サーバ１０は、その店舗基本情報及び広告情報を受信すると、店舗ＩＤを発行し、その店舗ＩＤと対応付けて、受信した店舗基本情報を自サーバ内の店舗基本情報データベース１３に登録するとともに、店舗ＩＤと対応付けて電子チラシ用の画像ファイルを広告情報蓄積部１５に蓄積する（ステップＳ１０５）。
【００３６】
次に、店舗情報提供サーバ１０は、電子チラシ等の広告情報が広告情報蓄積部１５に蓄積された直後、又はその広告情報の掲載期間に近づくと、この新着の電子チラシ
を通知するためのメールを該当するユーザのユーザ端末３０へ送信する（ステップＳ１０６）。
ユーザ端末３０は、このメールを受信すると、表示部上に表示する（ステップＳ１０７）。ユーザは、このメールを閲覧して、電子チラシの新着を確認する。その後、ユーザは、後述する店舗情報の提供動作を通して電子チラシを閲覧する。
以上で、店舗情報の登録動作は終了する。
【００３７】
図４は、本発明の第１の実施形態における店舗情報提供サーバ１０が管理する店舗基本情報データベース１３の一例を示す図である。
図に示すように、店舗基本情報データベース１３には、店舗名、店舗の住所、電話番号、メールアドレス、業種、営業時間、駐車場の有無、店舗のＰＲ文、広告情報の掲載期間、広告の有効期間等の店舗基本情報が店舗ＩＤに対応付けられて格納されている。
店舗情報提供サーバ１０は、ユーザ端末３０から店舗情報の取得が要求された場合には、該当する店舗の店舗基本情報及び広告情報を各データベース１３，１４から抽出し、これらの情報を合成して店舗情報のＷｅｂページを作成し、ユーザ端末３０に送信する。
【００３８】
（２）ユーザ側によるユーザ情報の登録動作
次に、ユーザ側が自身に関する情報（ユーザ情報）をユーザ情報データベース１４に登録するときの動作について説明する。
図５は、本発明の第１の実施形態における販売促進システムによるユーザ情報の登録動作の流れを示すシーケンスチャートである。以下、この図に沿って、ユーザ情報の登録動作について説明を進める。
【００３９】
まず、ユーザは、ユーザ端末３０を用いて、店舗情報提供サーバ１０とネットワーク接続し、店舗側が運営する登録用サイトにアクセスし、そのサイトにおけるユーザ情報の登録用のＷｅｂページを表示部上に表示する（ステップＳ２０１）。
【００４０】
ここで、ユーザ側は、ユーザ端末３０を用いて、登録用サイトにおける入力フォームに従って、ユーザ情報、すなわちユーザの氏名、ユーザの住所、電話番号、メールアドレス、職種等を入力する（ステップＳ２０２）。
ユーザ端末３０は、この入力されたユーザ情報を店舗情報提供サーバ１０へ送信する（ステップＳ２０３）。
【００４１】
店舗情報提供サーバ１０は、そのユーザ情報を受信すると、ユーザＩＤを発行し、そのユーザＩＤと対応付けて、受信したユーザ情報を自サーバ内のユーザ情報データベース１４に登録する（ステップＳ２０４）。
以上で、ユーザ情報の登録動作は終了する。
【００４２】
図６は、本発明の第１の実施形態における店舗情報提供サーバ１０が管理するユーザ情報データベース１４の一例を示す図である。
図に示すように、ユーザ情報データベース１４には、ユーザ名、住所、電話番号、メールアドレス、職種等のユーザ情報がユーザＩＤに対応付けられて格納されている。
【００４３】
（３）店舗情報の提供動作
次に、ユーザが店舗情報を店舗情報提供サーバ１０から取得し、閲覧するまでの動作について説明する。
図７は、本発明の第１の実施形態における販売促進システムによる店舗情報の提供動作の流れを示すシーケンスチャートである。以下、この図に沿って説明を進める。
【００４４】
まず、ユーザは、ユーザ端末３０を用いて店舗情報提供サーバ１０にネットワーク接続し、店舗情報の取得要求を店舗情報提供サーバ１０へ送信する（ステップＳ３０１）。
このとき、ユーザ端末３０は、当該ユーザのユーザＩＤについても店舗情報提供サーバ１０へ送信する。
【００４５】
店舗情報提供サーバ１０は、その店舗情報の取得要求とともに、ユーザＩＤを受信すると、そのユーザＩＤに基づいて、該当するユーザ情報についてユーザ情報データベース１４から検索を行う（ステップＳ３０２）。
次に、店舗情報提供サーバ１０は、そのユーザ情報の住所に基づいて、その住所の周辺の店舗について店舗基本情報データベース１３から検索を行う（ステップＳ３０３）。
また、店舗情報提供サーバ１０は、そのユーザ情報の住所に基づいて、地図情報蓄積部１６からそのユーザの住所周辺の地図画像を抽出する（ステップＳ３０４）。
そして、店舗情報提供サーバ１０は、その抽出した地図画像上の該当する住所の位置に店舗を示すアイコンを合成して、地図情報のＷｅｂページを生成し（ステップＳ３０５）、ユーザ端末３０へ送信する（ステップＳ３０６）。
【００４６】
ユーザ端末３０は、その地図情報のＷｅｂページを受信すると、そのページを自身の表示部上に表示する（ステップＳ３０７）。
例えば、このページ上には、以下のようなものが表示される。すなわち、地図画像の中心には、ユーザ情報データベース１４に登録したユーザの住所（ユーザの自宅等）を示すアイコンが示されるとともに、その周辺には、ユーザの住所の近辺に点在する店舗のアイコンが示される。
ユーザは、この地図画像を参照することで、自宅の近辺等にどのような店舗があるのかを容易に把握することができる。
【００４７】
そして、ユーザは、ユーザ端末３０を用いて、その地図画像上の店舗アイコンをクリックすると、ユーザ端末３０は、その店舗の店舗情報のＷｅｂページの取得要求を店舗情報提供サーバ１０へ送信する（ステップＳ３０８）。
このとき、ユーザ端末３０は、そのページの取得要求とともに、該当する店舗のＩＤを店舗情報提供サーバ１０へ送信する。
【００４８】
店舗情報提供サーバ１０は、その店舗情報のＷｅｂページの取得要求をユーザ端末３０から受信すると、同時に受信した店舗ＩＤに基づいて、店舗基本情報データベース１３から該当店舗の店舗名等の店舗基本情報を抽出するとともに、店舗基本情報データベース１３を参照して、広告情報蓄積部１５から現在掲載期間内である店舗の広告情報を抽出して、これらの情報を合成して店舗情報のＷｅｂページを生成し（ステップＳ３０９）、ユーザ端末３０へ送信する（ステップＳ３１０）。
【００４９】
ユーザ端末３０は、その店舗情報のＷｅｂページを受信すると、そのページを表示部上に表示する（ステップＳ３１１）。
例えば、このページには、該当する店舗の店名、住所、電話番号、メールアドレス、業種、営業時間、駐車場の有無、店舗のＰＲ文、電子チラシ又はセール情報等が示される。
ユーザは、この広告情報を閲覧して、自身の住所の近辺の店舗が、どのような特売セールを行うか等を簡単に把握することができる。
【００５０】
（４）ユーザによる店舗情報の取得設定動作
前述したように、ユーザは、自身の住所の近辺の店舗の情報を容易に閲覧することができるが、これらの店舗情報の中には、ユーザ自身が特に注目しているものや、反対に全く興味のないものが混在している。
次に、このような様々な店舗情報のうち、ユーザがどの店舗情報を取得してどの店舗情報を取得しないのか、あるいはどの店舗情報を優先的に取得するのかを、販売促進システムにおいて設定するときの動作について説明する。
図８は、本発明における販売促進システムによる店舗情報の取得設定動作の流れを示すシーケンスチャートである。以下、この図に沿って説明を進める。
【００５１】
まず、ユーザは、ユーザ端末３０を用いて、前述したように、表示部上に、ユーザ自身の住所位置及び周辺の店舗位置のアイコンが示された地図画像のＷｅｂページを店舗情報提供サーバ１０から取得し、表示する（ステップＳ４０１）。
ここで、ユーザは、ユーザ端末３０を用いて、このページ上の検索ボタンをクリックすると、ユーザ端末３０は、店舗の検索用のＷｅｂページの取得要求を店舗情報提供サーバ１０へ送信する（ステップＳ４０２）。
【００５２】
店舗情報提供サーバ１０は、その検索用の画面情報の取得要求をユーザ端末３０から受信すると、当該ユーザ端末３０はその検索用のＷｅｂページを送信する（ステップＳ４０３）。
【００５３】
ユーザ端末３０は、その検索用のＷｅｂページを受信すると、その受信したページを表示部に表示する（ステップＳ４０４）。
ユーザは、ユーザ端末３０を用いて、このページの入力欄に検索条件を入力して、店舗の検索を行う。例えば、ユーザは、店舗名、地域、業種等の各種検索条件を入力する。この入力された検索条件は、ユーザ端末３０から店舗情報提供サーバ１０へ送信される（ステップＳ４０５）。
【００５４】
店舗情報提供サーバ１０は、その店舗の検索条件をユーザ端末３０から受信すると、その各種条件に基づいて、店舗基本情報データベース１３から該当する店舗を検索して抽出する（ステップＳ４０６）。
そして、店舗情報提供サーバ１０は、その抽出した店舗の一覧を示すＷｅｂページ（店舗情報の取得設定のＷｅｂページ）を生成して（ステップＳ４０７）、ユーザ端末３０へ送信する（ステップＳ４０８）。
【００５５】
ユーザ端末３０は、その店舗情報の取得設定のＷｅｂページを店舗情報提供サーバ１０から受信すると、その受信したページを表示部上に表示する（ステップＳ４０９）。
ユーザは、このページ上に表示されている店舗を選択し、その選択した店舗について削除や広告情報の取得設定等を行う（ステップＳ４１０）。
例えば、ユーザは、店舗の登録又は削除を行うことができる。登録を行うと、前述の地図画面上にアイコンが表示され、店舗情報のＷｅｂページを取得可能になる。一方、削除を行うと、地図画面にアイコンが表示されなくなり、店舗情報のＷｅｂページを取得することが不可能になる。
また、その登録を行った店舗については、その表示アイコンの大きさ、形状、色又は点滅の有無等を自由に設定できるとともに、その店舗からの広告情報の取得レベルを詳細に設定できる。例えば、ＰＵＳＨ型の販売促進用のメール受信の有無、新着電子チラシの通知メール受信の有無等をユーザは自由に設定することができる。
【００５６】
これらの設定情報は、ユーザ端末３０から店舗情報提供サーバ１０へ送信され（ステップＳ４１１）、店舗情報提供サーバ１０の設定情報データベース１７に登録される（ステップＳ４１２）。
これ以降、店舗情報提供サーバ１０は、地図情報のＷｅｂページの取得を要求されたときには、この設定情報データベース１７の登録内容を参照し、地図画像上の店舗アイコンの種類を変更したり、店舗アイコンの削除を行ったりして、ユーザ個々にカスタマイズした地図情報のＷｅｂページをユーザ端末３０へ送信する。
また、店舗情報提供サーバ１０は、設定情報データベース１７に送信が設定されているユーザ端末３０に対してのみ、広告情報蓄積部１５に蓄積されている電子メールを、店舗基本情報データベース１３に設定されている時期に送信する。
【００５７】
図９は、本発明の第１の実施形態における設定情報データベース１７の一例を示す図である。
図に示すように、設定情報データベース１７には、前述の地図情報のＷｅｂページ上に店舗のアイコンが表示される店舗に関する情報が管理されている。例えば、この設定情報データベース１７には、店舗名、電子メールの送信の有無、地図画像上のアイコン表示の有無、そのアイコンの大きさ・形状・色・点滅の有無等の情報が店舗ＩＤに対応付けられて管理されている。
この設定情報データベース１７は、各ユーザごとに作成されており、店舗情報提供サーバ１０は、この設定情報データベース１７の登録内容に従って、地図情報のＷｅｂページや電子メールの送信を行う。
この図に示されている設定情報データベース１７は、デフォルトの状態、すなわち、ユーザがユーザ情報の登録を行ってから、まだユーザが店舗情報の取得設定を行っていない状態のものである。
デフォルト状態では、ユーザの住所近辺の店舗がその設定情報データベース１７に自動的に登録される。このデフォルトの状態では、その登録されている店舗のアイコン及び広告情報の取得設定は一律に決められている。例えば、デフォルトでは、地図画像上のアイコンは業種別に区別されているだけであり、登録されている店舗の電子メールは自動的に全てユーザに送信される。
【００５８】
図１０は、本発明の第１の実施形態における設定情報データベース１７の他の例を示す図である。
この図は、ユーザが広告情報の取得設定を行った後の設定情報データベース１７を示している。図に示すように、地図画像上にアイコンを表示するものについては、その欄に「○」が示され、表示の必要がないものについては、その欄に「×」が示されている。
また、新着電子チラシの通知メール及びセール情報の販売促進メールの送信が必要な店舗については、その欄に「○」が示され、必要のない店舗については「×」が示されている。
また、ユーザが頻繁に店舗情報を閲覧する店舗については比較的大きなサイズのアイコン表示や点滅するアイコン表示が設定されており、閲覧する頻度の低い店舗については比較的小さなサイズのアイコン表示が設定される。
【００５９】
（第１の実施形態の画面情報）
次に、前述したユーザ端末３０に表示される各画面情報である（１）地図情報のＷｅｂページ、（２）店舗情報のＷｅｂページ、（３）店舗情報の取得設定のＷｅｂページについて説明する。
【００６０】
（１）地図情報のＷｅｂページ
図１１は、本発明の第１の実施形態における地図情報のＷｅｂページの一例を示す図である。
図に示すように、この地図情報のＷｅｂページは、主として地図画像により構成されている。この地図画像の中央には、ユーザが店舗情報提供サーバ１０に登録した自宅等の住所位置を示すアイコンが表示される。また、この自宅等のアイコンの周囲には、店舗を示すアイコンが表示される。これら店舗のアイコンをクリックすると、各店舗の店舗情報のＷｅｂページが表示される。
なお、この地図情報のＷｅｂページには、この地図画像の他に、電子チラシ情報やセール情報の新着情報を表示してもよいし、その他天気やニュースなどの有益な情報を表示してもよい。
【００６１】
（２）店舗情報のＷｅｂページ
図１２は、本発明の第１の実施形態における店舗情報のＷｅｂページの一例を示す図である。
図に示すように、この店舗情報のＷｅｂページには、主として、その店舗の名称、住所、電話番号等の店舗基本情報と、電子チラシとが表示される。
なお、この店舗情報のＷｅｂページには、店舗建物の風景や店舗周辺の地図が表示されてもよい。
【００６２】
（３）店舗情報の取得設定のＷｅｂページ
図１３は、本発明の第１の実施形態における店舗情報の取得設定のＷｅｂページの一例を示す図である。
図に示すように、この店舗情報の取得設定のＷｅｂページには、店舗名や住所等の店舗基本情報と、新着チラシの通知メール及び販売促進メールの送信の有無の設定欄、店舗アイコンの種類とが、各店舗ごとに表示される。
また、各店舗ごとに地図ボタンとチラシボタンとが表示されている。
このうち、地図ボタンをクリックすると、その店舗周辺の地図の取得要求が店舗情報提供サーバ１０へ送信され、これに応じて店舗情報提供サーバ１０は、その地図画像をユーザ端末３０へ送信し、ユーザ端末３０の表示部上に表示される。
同様に、チラシボタンをクリックすると、その店舗の電子チラシが表示されている店舗情報のＷｅｂページの取得要求が店舗情報提供サーバ１０へ送信され、これに応じて店舗情報提供サーバ１０は、その地図画像をユーザ端末３０へ送信し、ユーザ端末３０の表示部上に表示される。
【００６３】
（第１の実施形態のまとめ）
以上説明したように、本実施形態によれば、ユーザは自身の住所等を店舗情報提供サーバ１０に登録すると、店舗情報提供サーバ１０は、その住所周辺の店舗の情報を抽出してＷｅｂページを生成し、ユーザ端末３０に提供するので、ユーザは、自身の住所周辺の店舗の有益な情報（電子チラシ等）を簡単に取得することが可能となる。
また、店舗側も、自身でホームページを作成するといった繁雑な作業を行うことなく、簡単かつリアルタイムに電子チラシ等をユーザに簡単に提供できるので、効率よく販売促進効果をあげることが可能となる。特に、その送信される電子チラシ等は、ユーザの生活圏内に位置する店舗のものなので、ユーザが来店する確率が高く、高い広告効果を得ることができる。
また、広告提供事業者は、このようにユーザ及び店舗側にとって有益なサービスを提供することにより、ユーザ及び店舗の参加意欲も高まり、他の広告提供サービスからの囲い込みを実現することが可能となる。例えば、この販売促進システムに登録した店舗側から広告料金を徴収する場合には、その広告利益の増益が期待できる。
【００６４】
また、本実施形態によれば、ユーザは、ユーザ端末３０を用いて、地図画面上の店舗アイコンの表示の変更やメールの受信の有無の選択を店舗情報提供サーバ１０へ要求し設定することで、ユーザ自分が希望する店舗情報のみを取得できるように容易にカスタマイズすることが可能となる。
【００６５】
＜第２の実施形態＞
（第２の実施形態の概要）
第１の実施形態では、店舗情報提供サーバ１０は、ユーザ情報データベース１４に登録されている固定された住所周辺の地図情報をユーザ端末３０へ提供する。
これに対し、本発明の第２の実施の形態では、ユーザ端末３０を携帯電話機、ＰＨＳ又はＰＤＡ等の携帯端末とし、店舗情報提供サーバ１０は、このユーザ端末３０の周辺の地図情報を提供するものとする。
以下、特記しない限り、本実施形態の構成及び動作は、第１の実施形態と同様であるものとして説明を進める。
【００６６】
（第２の実施形態の構成）
図１４は、本発明の第２の実施形態における販売促進システムの構成を示す図である。
図に示すように、本実施形態における販売促進システムは、第１の実施形態と同様に、店舗情報提供サーバ１０と、店舗端末２０と、ユーザ端末３０とを有し、さらに、そのユーザ端末３０の位置特定に使用される無線基地局装置４０と、同様に位置特定に使用されるＧＰＳ衛星５０とを有して構成される。
店舗情報提供サーバ１０及びユーザ端末３０における第１の実施形態との相違点は、以下の通りである。
なお、店舗端末２０は、第１の実施形態と同様の構成を有し、同様の動作を行う。
【００６７】
ユーザ端末３０は、前述したように、携帯電話機、ＰＨＳ又はＰＤＡ等の携帯端末である。また、ユーザ端末３０は、公知技術である無線基地局との通信又はＧＰＳ機能等を用いた自端末の位置特定機能を有しており、それら無線基地局装置４０やＧＰＳ衛星５０等から自端末の位置情報を取得できるように構成されている。
【００６８】
本実施形態においては、店舗情報提供サーバ１０は、ユーザ端末３０から地図情報のＷｅｂページの取得要求を受信する際に、前述の位置情報を受信して、ユーザ端末３０の現在位置を把握し、その現在位置の周囲の店舗位置が掲載された地図情報のＷｅｂページを作成し、ユーザ端末３０へ提供するように構成されている。
【００６９】
無線基地局装置４０は、携帯電話機又はＰＨＳ等の無線通信の基地局装置であり、ユーザ端末３０の無線通信に使用される。この無線基地局装置４０は、一定のエリアごとに設置されており、ユーザ端末３０との間の電波強度等に基づいて、ユーザ端末３０の現在位置を特定し、その特定した位置の情報をユーザ端末３０へ送信する機能を備えている。
【００７０】
ＧＰＳ衛星５０は、ユーザ端末３０と直接通信、又はＧＰＳ基準局（図示せず）を介してユーザ端末３０と通信して、ユーザ端末３０の位置を特定する衛星である。ＧＰＳ衛星５０は、ユーザ端末３０の現在位置を特定すると、その位置情報をユーザ端末３０へ直接、又はＧＰＳ基準局を介してユーザ端末３０へ、その位置情報を送信する。
【００７１】
（第２の実施形態の動作）
（１）店舗情報の提供動作
本実施形態における動作は、店舗情報の提供動作について第１の実施形態と異なっている。以下、その店舗情報の提供動作について説明する。
図１５は、本発明の第２の実施形態における販売促進システムによる店舗情報の提供動作の流れを示すシーケンスチャートである。以下、この図に沿って説明を進める。
【００７２】
まず、ユーザ端末３０は、一定時間ごとに無線基地局装置４０又はＧＰＳ衛星５０等と通信を行って、無線基地局装置４０又はＧＰＳ衛星５０から自端末の現在位置を示す位置情報を受信する（ステップＳ６０１）。
【００７３】
次に、ユーザは、ユーザ端末３０を用いて店舗情報提供サーバ１０にネットワーク接続し、店舗情報の取得要求を店舗情報提供サーバ１０へ送信する（ステップＳ６０２）。
このとき、ユーザ端末３０は、当該ユーザのユーザＩＤについても店舗情報提供サーバ１０へ送信する。
さらに、このとき、ユーザ端末３０は、受信した最新の前述の位置情報を店舗情報提供サーバ１０へ送信する（ステップＳ６０３）。
【００７４】
店舗情報提供サーバ１０は、その店舗情報の取得要求とともに、ユーザＩＤを受信すると、そのユーザＩＤに基づいて、該当するユーザ情報についてユーザ情報データベース１４から検索を行う（ステップＳ６０４）。
次に、店舗情報提供サーバ１０は、ユーザ端末３０から受信した位置情報に基づいて、そのユーザ端末３０の現在位置を認識し、その現在位置周辺の店舗について店舗基本情報データベース１３から検索を行う（ステップＳ６０５）。
また、店舗情報提供サーバ１０は、そのユーザ情報の現在位置に基づいて、地図情報蓄積部１６からそのユーザの現在位置周辺の地図画像を抽出する（ステップＳ６０６）。
そして、店舗情報提供サーバ１０は、その抽出した地図画像上の該当する住所の位置に店舗を示すアイコンを合成して、地図情報のＷｅｂページを生成し（ステップＳ６０７）、ユーザ端末３０へ送信する（ステップＳ６０８）。
【００７５】
ユーザ端末３０は、その地図情報のＷｅｂページを受信すると、そのページを自身の表示部上に表示する（ステップＳ６０９）。
例えば、このページ上には、以下のようなものが表示される。すなわち、地図画像の中心には、前述の位置情報に示されるユーザ（ユーザ端末３０）の現在位置を示すアイコンが示されるとともに、その周辺には、ユーザの現在位置の近辺に点在する店舗のアイコンが示される。
ユーザは、この地図画像を参照することで、現在の自身の近辺等にどのような店舗があるのかを容易に把握することができる。
【００７６】
また、その後の店舗情報のＷｅｂページについては、第１の実施形態におけるステップＳ６０８〜Ｓ６１０の動作と同様であるので、その説明を省略する。
【００７７】
（２）その他の動作
その他の動作については、本実施形態の動作は、第１の実施の形態と同様であるので、その説明を省略する。
【００７８】
（第２の実施形態のまとめ）
以上説明したように、本実施形態によれば、店舗情報提供サーバ１０は、ユーザ端末３０から受信したユーザ（ユーザ端末３０）の現在位置を示す位置情報に基づいて、地図情報のＷｅｂページを生成して店舗情報をユーザ端末３０へ提供するので、ユーザは、自身の現在位置周辺の店舗の有益な情報（電子チラシ等）を簡単に取得することが可能となる。
また、店舗側も、自身でホームページを作成するといった繁雑な作業を行うことなく、簡単かつ迅速に電子チラシ等をユーザに簡単に提供できるので、効率よく販売促進効果をあげることが可能となる。特に、その送信される電子チラシ等は、ユーザの現在位置の近隣に位置する店舗のものなので、ユーザが来店する確率が高く、高い広告効果を得ることができる。
【００７９】
＜第３の実施形態＞
（第３の実施形態の概要）
以上説明したように、第１の実施形態では、店舗側が、店舗端末２０を用いて実際の紙チラシをスキャニングし、電子チラシ用の画像ファイルを広告情報として店舗情報提供サーバ１０へ送信する。
これに対し、本実施の形態における販売促進システムは、第１の実施形態における構成に加え、広告提供事業者端末６０を有し、広告提供事業者が紙チラシを店舗側から受け取り、その広告提供事業者端末６０を用いて、電子チラシを作成する。
すなわち、本実施の形態では、店舗側の代わりに、広告提供事業者が電子チラシを作成するので、店舗側が電子チラシの作成という繁雑な作業から解放されるという利点がある。
以下、特記しない限り、本実施形態の構成及び動作は、第１の実施形態と同様であるものとして説明を進める。
【００８０】
（第３の実施形態の構成）
図１６は、本発明の第３の実施形態における販売促進システムの構成を示す図である。
図に示すように、第１の実施形態と同様に、店舗情報提供サーバ１０と、店舗端末２０と、ユーザ端末３０とを有し、さらに、広告提供事業者により操作されるＰＣ等の広告提供事業者端末６０を有して構成される。
【００８１】
広告提供事業者端末６０は、広告提供事業者により操作される、例えば、ＰＣ等の情報処理装置であって、紙チラシをデジタルデータとして読み取るスキャナ機能を備えている。
また、広告提供事業者端末６０は、ネットワークを介して店舗情報提供サーバ１０と通信を行う機能を備えている。
【００８２】
（第３の実施形態の動作）
（１）店舗側による店舗情報の登録動作
図１７は、本発明の第３の実施形態における販売促進システムによる店舗情報の登録動作の流れを示すシーケンスチャートである。以下、この図に沿って、店舗情報の登録動作について説明を進める。
【００８３】
まず、店舗側は、店舗端末２０を用いて、店舗情報提供サーバ１０とネットワーク接続し、店舗側が運営する登録用サイトにアクセスし、表示部上に表示する（ステップＳ７０１）。
【００８４】
ここで、店舗側は、店舗端末２０を用いて、登録用サイトにおける入力フォームに従って、店舗基本情報、すなわち店舗名、店舗の住所、電話番号、メールアドレス、業種、営業時間、駐車場の有無、店舗のＰＲ文、広告情報の掲載期間、広告の有効期間等を入力する（ステップＳ７０２）。
店舗端末２０は、この入力された店舗基本情報を店舗情報提供サーバ１０へ送信する（ステップＳ７０３）。
店舗情報提供サーバ１０は、その店舗基本情報を受信すると、店舗ＩＤを発行し、その店舗ＩＤと対応付けて、受信した店舗基本情報を自サーバ内の店舗基本情報データベース１３に登録する（ステップＳ７０４）。
【００８５】
その後、広告提供事業者は、店舗側への訪問又は郵送等により、店舗の特売等の紙チラシを店舗側から受け取るとともに、発行されたその店舗の店舗ＩＤを確認する。
そして、広告提供事業者は、広告提供事業者端末６０のスキャナ機能を用いて、紙チラシの画像を読み取り、電子チラシ用の画像ファイルを広告情報として広告提供事業者端末６０内に生成する（ステップＳ７０５）。
次に、広告提供事業者は、広告提供事業者端末６０を用いて、その作成した電子チラシ用の画像ファイルを広告情報として店舗情報提供サーバ１０に送信する（ステップＳ７０６）。
このとき、広告提供事業者は、広告提供事業者端末６０を用いて、該当する店舗の店舗ＩＤを入力し、その画像ファイルとともに店舗情報提供サーバ１０へ送信する（ステップＳ７０６）。
【００８６】
店舗情報提供サーバ１０は、その広告情報とともに店舗ＩＤを受信すると、その店舗ＩＤに対応付けて、その受信した電子チラシ用の画像ファイルを広告情報蓄積部１５に蓄積する（ステップＳ７０７）。
【００８７】
次に、店舗情報提供サーバ１０は、電子チラシ等が広告情報蓄積部１５に蓄積されると、この新着の電子チラシを通知するためのメールを該当するユーザのユーザ端末３０へ送信する（ステップＳ７０８）。
ユーザ端末３０は、このメールを受信すると、表示部上に表示する（ステップＳ７０９）。ユーザは、このメールを閲覧して、電子チラシの新着を確認する。その後、ユーザは、後述する店舗情報の提供動作を通して電子チラシを閲覧する。
以上で、店舗情報の登録動作は終了する。
【００８８】
（２）その他の動作
その他の動作については、本実施形態の動作は、第１の実施の形態と同様であるので、その説明を省略する。
【００８９】
（第３の実施形態のまとめ）
以上説明したように、本実施形態によれば、広告提供事業者は、宣伝用の紙チラシを店舗側から受け取り、広告提供事業者端末６０を用いて、電子チラシ用の画像ファイルを広告情報として店舗情報提供サーバ１０に登録するので、店舗側は、広告情報の登録という繁雑な作業を行うことなく、効率よく販売促進効果をあげることが可能となる。
また、広告提供事業者は、このように電子チラシの登録作業が繁雑であること、又はスキャナ等の電子チラシの登録に必要な機器を有していないことを理由として、販売促進システムの利用に躊躇していた店舗の参加を期待でき、その店舗の他の広告提供サービスからの囲い込みを実現することが可能となる。
【００９０】
なお、本実施の形態において、広告提供事業者は、広告提供事業者端末６０を用いて、店舗側に代わって電子チラシの登録作業を行うものであるが、その他の作業についても店舗側に代わって行ってもよい。
例えば、店舗基本情報の登録作業、あるいは電子チラシの新着通知の又は販売促進のための電子メールの本文登録作業についても、広告提供事業者が代行することができる。このとき、広告提供事業者は、店舗基本情報や電子メール本文の記入用紙を予め店舗側へ渡しておき、その記入済みの内容を広告提供事業者端末６０を用いて店舗情報提供サーバ１０へ登録するようにしてもよい。
【００９１】
＜実施形態全体のまとめ＞
以上説明したように、本発明の実施形態によれば、広告情報等の店舗情報を容易に登録することができ、その店舗情報のうちユーザ自身の希望するもののみ簡単に提供することができるので、ユーザの利便性及び店舗側の販売促進効果を向上させるとともに、広告提供事業者は、ユーザ及び店舗側による本システムへの参加の増加を見込むことが可能となる。
また、本発明の実施の形態によれば、店舗情報提供サーバ１０は、ユーザの自宅等の固定した住所のみならず、移動するユーザの現在位置の周辺の店舗の情報をユーザへ提供するので、ユーザの利便性及び店舗側の販売促進効果のさらなる向上を期待することができる。
また、本発明の実施の形態によれば、スキャナ機能を備えた機器を有していなかったり、電子チラシの登録という繁雑な作業に躊躇したりしている店舗に対し、広告提供事業者がその電子チラシの登録作業等を代行することで、本システムへのさらなる店舗の参加を見込むことが可能となる。
【００９２】
なお、本発明の実施の形態において、地図情報のＷｅｂページ上には、店舗の位置を示すものとしてアイコンを用いていたが、単に店舗名を示してもよいし、その他、任意の文字、記号又は画像により店舗の位置を表示してもよく、その表示方法は限定されない。
【００９３】
また、本発明の実施の形態によれば、店舗情報のＷｅｂページ上には、店舗の電子チラシを表示して店舗の販売促進を図っているが、その他、文字、記号（ロゴ）又は画像等、その他の広告情報をページ上に表示するようにしてもよい。
【００９４】
また、本発明の実施の形態によれば、店舗情報提供サーバ１０は、ユーザの自宅の住所や現在位置中心の地図画像をユーザ端末３０へ送信するものであるが、その地図画像の中心となる位置は、あらゆるものであってもよい。例えば、ユーザの勤務先、出張先、旅行先、友人宅等、ユーザは任意の住所を店舗情報提供サーバ１０へ登録することで、その住所中心の店舗情報を取得することができる。
また、１人のユーザが、異なる住所中心の複数の地図情報のＷｅｂページをユーザ端末３０にて受信し、閲覧することも、もちろん可能である。
【００９５】
なお、上記の店舗情報提供サーバ１０、店舗端末２０、ユーザ端末３０、無線基地局装置４０、ＧＰＳ衛星５０又は広告提供事業者端末６０は、主にＣＰＵとメモリにロードされたプログラムによって実現される。ただし、それ以外の任意のハードウェアおよびソフトウェアの組合せによってこの装置またはサーバを構成することも可能であり、その設計自由度の高さは当業者には容易に理解されるところである。
また、上記の店舗情報提供サーバ１０、店舗端末２０、ユーザ端末３０、無線基地局装置４０、ＧＰＳ衛星５０又は広告提供事業者端末６０をソフトウェアモジュール群として構成する場合、このプログラムは、光記録媒体、磁気記録媒体、光磁気記録媒体、または半導体等の記録媒体に記録され、上記の記録媒体からロードされるようにしてもよいし、所定のネットワークを介して接続されている外部機器からロードされるようにしてもよい。
【００９６】
なお、上記の実施例は本発明の好適な実施の一例であり、本発明の実施例は、これに限定されるものではなく、本発明の要旨を逸脱しない範囲において種々変形して実施することが可能となる。
【図面の簡単な説明】
【００９７】
【図１】本発明の第１の実施の形態における販売促進システムの構成を示す図である。
【図２】本発明の第１の実施形態における店舗情報提供サーバの構成を示す図である。
【図３】本発明の第１の実施形態における販売促進システムによる店舗情報の登録動作の流れを示すシーケンスチャートである。
【図４】本発明の第１の実施形態における店舗情報提供サーバが管理する店舗基本情報データベースの一例を示す図である。
【図５】本発明の第１の実施形態における販売促進システムによるユーザ情報の登録動作の流れを示すシーケンスチャートである。
【図６】本発明の第１の実施形態における店舗情報提供サーバが管理するユーザ情報データベースの一例を示す図である。
【図７】本発明の第１の実施形態における販売促進システムによる店舗情報の提供動作の流れを示すシーケンスチャートである。
【図８】本発明における販売促進システムによる店舗情報の取得設定動作の流れを示すシーケンスチャートである。
【図９】本発明の第１の実施形態における設定情報データベースの一例を示す図である。
【図１０】本発明の第１の実施形態における設定情報データベースの他の例を示す図である。
【図１１】本発明の第１の実施形態における地図情報のＷｅｂページの一例を示す図である。
【図１２】本発明の第１の実施形態における店舗情報のＷｅｂページの一例を示す図である。
【図１３】本発明の第１の実施形態における店舗情報の取得設定のＷｅｂページの一例を示す図である。
【図１４】本発明の第２の実施形態における販売促進システムの構成を示す図である。
【図１５】本発明の第２の実施形態における販売促進システムによる店舗情報の提供動作の流れを示すシーケンスチャートである。
【図１６】本発明の第３の実施形態における販売促進システムの構成を示す図である。
【図１７】本発明の第３の実施形態における販売促進システムによる店舗情報の登録動作の流れを示すシーケンスチャートである。
【符号の説明】
【００９８】
１０    店舗情報提供サーバ
１１    制御部
１２    通信部
１３    店舗基本情報データベース
１４    ユーザ情報データベース
１５    広告情報蓄積部
１６    地図情報蓄積部
１７    設定情報データベース
２０    店舗端末
３０    ユーザ端末
４０    無線基地局装置
５０    ＧＰＳ衛星
６０    広告提供事業者端末
【図１】
2008217418.tif 000003
【図２】
2008217418.tif 000004
【図３】
2008217418.tif 000005
【図４】
2008217418.tif 000006
【図５】
2008217418.tif 000007
【図６】
2008217418.tif 000008
【図７】
2008217418.tif 000009
【図８】
2008217418.tif 000010
【図９】
2008217418.tif 000011
【図１０】
2008217418.tif 000012
【図１１】
2008217418.tif 000013
【図１２】
2008217418.tif 000014
【図１３】
2008217418.tif 000015
【図１４】
2008217418.tif 000016
【図１５】
2008217418.tif 000017
【図１６】
2008217418.tif 000018
【図１７】
2008217418.tif 000019